(57)【要約】      （修正有）【課題】タブレット型端末を立てて使用することができ、不使用時や携行時にはホルダーとなり、かつタブレット型端末の熱を放出してタブレット型端末に熱がこもらないようにしたタブレット型端末のスタンド兼携帯ホルダーを提供する。【解決手段】ベース面２と支持面３及びスタンド面４を形成し、タブレット型端末１０は取付面４に貼り付けた粘着シート５（吸熱性シリコーンゴム）に吸着させて固定する。更に粘着シート５の裏面に位置する支持面３には放熱口６を形成し、この放熱口６から粘着シート５で吸熱した端末１０の熱を放出し、熱が端末内にこもるのを防ぐ。【選択図】図１
0003177660.tif 000002
【実用新案登録請求の範囲】
【請求項１】
四角形の基板を中央で二つ折りに形成して一方の面をベース面に、他方の面を支持面に設定したこと、
前記支持面の内側には、この支持面の外辺部に連結され、内辺部をフリーに形成したタブレット型端末のスタンド面を形成したこと、
前記スタンド面には、タブレット型端末を着脱自在に貼り付け可能な粘着シート面を形成したこと、
前記スタンド面の下縁に面ファスナーを取り付け、前記ベース面の内面には、前記スタンド面の下縁の面ファスナーを任意の位置で固定できる面ファスナーを取り付けたこと、
前記ベース面と支持面の二つ折りを開き、ベース面を下に、支持面を立て、この支持面の内側に取り付けられたスタンド面の下縁に形成された面ファスナー側をベース面側の面ファスナーに固定することによりスタンド面を後方に傾斜させて側面視三角形状に形成自在に形成したこと、
前記ベース面と支持面間には、二つ折りに重ねてこの両面を閉じておくための伸縮性バンド取り付けたこと、
を特徴とするタブレット型端末のスタンド兼携帯ホルダー。
【請求項２】
前記粘着シートには伝熱材料を練り込み、この粘着シートの裏側であって、前記スタンド面には任意形状の放熱口が設けられていて、タブレット型端末の熱を粘着シートで吸収し、放熱口を経由して放出することにより、タブレット型端末に熱がこもらないように構成したことを特徴とする請求項１に記載のタブレット型端末のスタンド兼携帯ホルダー。
【請求項３】
前記ホルダーの一部には、タブレット型端末の操作用小物あるいは筆記具の収納ポケットが設けられていることを特徴とする請求項１に記載のタブレット型端末のスタンド兼携帯ホルダー。
【請求項４】
前記ホルダーには、着脱自在の肩掛け紐又はバンドが付属されていることを特徴とする請求項１に記載のタブレット型端末のスタンド兼携帯ホルダー。
【請求項５】
前記粘着シートに替えてマイクロ吸盤面を形成し、このマイクロ吸盤面にスタンド面側の放熱口に対向して連通する放熱口を形成してなることを特徴とする請求項２に記載のタブレット型端末のスタンド兼ホルダー。
【考案の詳細な説明】
【技術分野】
【０００１】
本考案は、タブレット型端末を使用する際にはスタンドとして用いることができると共に携帯や不使用時にはタブレット型端末を内部に綴じ込むようにして保持できるホルダーに関する。
【背景技術】
【０００２】
タブレット型端末は、タッチインターフェースを搭載した液晶ディスプレイを主な入出力インターフェースとしており、外形は板状であるため、従来はディスクの上に平置きするか、片手に持って操作するのが一般的である。
【０００３】
しかし、携帯電話とは異なり、略Ｂ５サイズであって、重量もあるため、片手に持って操作したりする際に不安定であると共に滑り易いために落す心配もある。
【０００４】
また、携帯する際には、そのままバッグに入れたりするため傷つき易い。
【０００５】
公知のタブレット型端末の支持スタンドとか、特開２００８−２５７５６２号公報に紹介されている。
【０００６】
この支持スタンドの内容は、公知のブックスタンドと変わるところはなく、端末を斜めに立てて支持する支持板とこの支持板の角度を背面のアームで調整自在としたものである。
【０００７】
しかし、このスタンドの場合、端末自体を支持板に固定する機構がないと共にタブレット型端末は、長時間使用していると熱を持つようになるが、支持板とこのタブレット型端末の背面は密着していて、熱を放出する機構がないため、端末内に熱がこもるという問題がある。
【０００８】
このような欠点のないタブレット型端末のスタンドとして、実用新案登録第３１７５５１号公報には、Ｕ字型のスタンドに端末の下縁側を挟み込むように立てて使用する内容のものが紹介されている。
【０００９】
しかし、この公知例の場合、スタンドが安定しないために使用しづらいという問題がある。
【００１０】
また、上記した公知例は、スタンドとしての目的は達成しているが、端末の不使用時あるいは携帯時のホルダーとしての機能はない。
【考案の概要】
【考案が解決しようとする課題】
【００１１】
本考案は、タブレット型端末を使用する際は使い勝手の良いスタンドとして機能し、不使用あるいは携帯時にはホルダーとして端末を保護する機能を併せ持つタブレット型端末のスタンド兼携帯ホルダーを提供するのを課題とする。
【００１２】
加えて、使用時に端末内に熱がこもらないスタンド兼ホルダーを提供することを課題とする。
【課題を解決するための手段】
【００１３】
上記課題を解決する手段として、
請求項１に記載の考案は、タブレット型端末のスタンド兼ホルダーとして、四角形の基板を中央で二つ折りに形成して一方の面をベース面に、他方の面を支持面に設定したこと、
前記支持面の内側には、この支持面の外辺部に連結され、内辺部をフリーに形成したタブレット型端末のスタンド面を形成したこと、
前記スタンド面には、タブレット型端末を着脱自在に貼り付け可能な粘着シート面を形成したこと、
前記スタンド面の下縁に面ファスナーを取り付け、前記ベース面の内面には、前記スタンド面の下縁の面ファスナーを任意の位置で固定できる面ファスナーを取り付けたこと、
前記ベース面と支持面の二つ折りを開き、ベース面を下に、支持面を立て、この支持面の内側に取り付けられたスタンド面の下縁に形成された面ファスナー側をベース面側の面ファスナーに固定することによりスタンド面を後方に傾斜させて側面視三角形状に形成自在に形成したこと、
前記ベース面と支持面間には、二つ折りに重ねてこの両面を閉じておくための伸縮性バンド取り付けたことを特徴とするものである。
【００１４】
また、請求項２に記載の考案は、請求項１に記載の考案において、前記粘着シートには伝熱材料を練り込み、この粘着シートの裏側であって、前記スタンド面には任意形状の放熱口が設けられていて、タブレット型端末の熱を粘着シートで吸収し、放熱口を経由して放出することにより、タブレット型端末に熱がこもらないように構成してなることを特徴とするものである。
【００１５】
また、請求項３に記載の考案は、請求項１に記載の考案において、前記ホルダーの一部には、タブレット型端末の操作用小物あるいは筆記具の収納ポケットが設けられていることを特徴とするものである。
【００１６】
また、請求項４に記載の考案は、請求項１に記載の考案において、前記ホルダーには、肩掛け紐又はバンドが設けられていることを特徴とするものである。
【００１７】
また、請求項５に記載の考案は、請求項２に記載の考案において、前記粘着シートに替えてマイクロ吸盤面を形成し、このマイクロ吸盤面にスタンド面側の放熱口に対向して連通する放熱口を形成してなることを特徴とするものである。
【考案の効果】
【００１８】
請求項１に記載の考案によると、二つ折りを開くだけでスタンドとなり、然もこのスタンド面に対しては端末を貼り付けて簡単に使用できる。
【００１９】
また、端末の角度は、面ファスナーの固定位置で自由に変更できる。
【００２０】
また、請求項２又は５に記載の考案によると、端末から出た熱は、粘着シートが伝熱性（吸熱性）を有するため、この粘着シートで端末の背面から熱を吸収し、この熱をスタンド面に設けた放熱口から放出してしまうため、端末内に熱がこもったりして悪い影響が出るのを防止できる。
【００２１】
また、請求項１〜５に記載の考案によると、スタンド兼ホルダーとなっているため、不使用時にはホルダー内に綴じ込むようにして端末を保管したりカバンに入れて保持する事ができるため、端末を損傷したり、落したりする心配がない。
【００２２】
また、請求項１〜５に記載の考案によると、膝に乗せての使用時に端末を落したりする心配が無いと共に端末自体の携行時に便利である。
【図面の簡単な説明】
【００２３】
【図１】本考案に係るタブレット型端末のスタンド兼ホルダーにおいて、スタンドとして使用している状態の斜視図
【図２】スタンドとして使用している状態の一部切断側面図
【図３】ホルダーとした状態の説明図
【図４】（Ａ）は膝の上に置いて使用している状態、（Ｂ）は肩に掛けて携行している状態の説明図
【考案を実施するための形態】
【実施例】
【００２４】
図１及び図２に基づいて本考案に係るタブレット型端末（以下「端末」という。）のスタンド兼ホルダーについて、その実施例を詳細に説明する。
【００２５】
スタンド兼ホルダーの本体は、四角形の原紙１を中央１ａで二つ折りに形成して一方をベース面２に他方の面を支持面３に設定し、前記支持面３の内側には、この支持面３の外辺部に連結され、内辺部をフリーに形成したスタンド面４が一体に形成されていると共にこのスタンド面４の正面中央には、端末を貼り付けるようにして着脱自在に取り付け可能な伝熱性を有する粘着シート５が形成されている。
【００２６】
本実施例において、この粘着シート５としては、高機能性シリコーンゴム（株式会社佐々木商事販売品番：ＴＲ−Ｅ（２０））が用いられていて、この性能は表１に示すとおりである。
【表１】
0003177660.tif 000003
符号の７は、前記スタンド面４の下縁に取り付けられた面ファスナー、８は、ベース２面に取り付けられた面ファスナーであって、この面ファスナー８の任意の位置に前記スタンド面４の下縁の面ファスナー７を固定して角度を調節できる。
【００２７】
６は、スタンド面４において、粘着シート５の裏側に相当する位置に形成された放熱口であって、この放熱口６から粘着シート５が吸収したタブレット型端末１０の熱を放出することができる。なお、放熱口６の形状はスリットでもよく、その形状は問わない。
【００２８】
以上で説明したタブレット型端末のスタンド兼ホルダーにおいて、その使用例は、ベース面２と支持面３の二つ折りを開き、ベース面２を下に、支持面３を立て、この支持面３の内側に取り付けられたスタンド面４の面ファスナー７側をベース面２側の面ファスナー８に固定する事によりスタンド面４を後方に傾斜させて図２に示す様に側面視三角形状に形成する。
【００２９】
その上で、タブレット型端末１０を図１、２に示すように粘着シート面５に粘着して用いる。
【００３０】
なお、実施例の端末は梨地のため、粘着シート５を用いているが、端末１０が平滑な場合には、前記粘着シート５に替えてマイクロ吸盤シート面を形成してこれに端末１０を取り付けるようにしてもよい（請求項５）。但し、この際、このマイクロ吸盤シート面には、スタンド面４側の放熱口６に対向する位置に放熱口を設けておくことにより、放熱性能を担保する。但し、マイクロ吸盤面自体が吸熱性（伝熱性）を有する場合には、このマイクロ吸盤シート面側の放熱口は不要である。
【００３１】
図中符号の９は、ベース面２と支持面３を閉じた際に、開くのを防ぐために取り付けた伸縮バンドである。
【００３２】
図３はホルダーとして使用している状態であって、ベース面２と支持面３及びホルダー面４を閉じ、伸縮バンド９を巻いて開かないように固定しておく。
【００３３】
図４（Ａ）は、膝の上に置いて使用している状態で、（Ｂ）は肩に掛けて携行している状態を示し、この際、ホルダーに着脱自在のストラップバンド１１を取り付けて用いる。特に、（Ａ）に示すように膝の上に置いて使用する場合に、このストラップバンド１１があると、膝から落したりする心配がない。
【産業上の利用分野】
【００３４】
タブレット型端末以外にスマートフォン等の電子端末のスタンド兼ホルダーとしても利用が可能である。
【符号の説明】
【００３５】
１    原紙
１ａ  中央
２    ベース面
３    支持面
４    スタンド面
５    粘着シート
６    通気口
７    面ファスナー
８    面ファスナー
９    伸縮性バンド
１０  タブレット型端末
１１  ストラップバンド
【図１】
0003177660.tif 000004
【図２】
0003177660.tif 000005
【図３】
0003177660.tif 000006
【図４】
0003177660.tif 000007